(57)【要約】【課題】  竹炭や天降石を利用して、乗り物のシートに長時間着席することによる椎間板ヘルニア、ぎっくり腰等の腰痛の進行の緩和と回復を図ることができる健康増進シートを提供する。【解決手段】  直径１〜３ｍｍの大きさの粒子に粉砕された顆粒状の竹炭を布製の細長い筒状袋体にくるみ、前記筒状袋体の複数個を基台マットに平行に並べて縫い付けて固定し、前記基台マットをシートの背もたれ部分に埋め込み固定してなることを特徴とする健康増進シートである。【選択図】  図２
0003157564.tif 000002
【実用新案登録請求の範囲】
【請求項１】
直径１〜３ｍｍの大きさの粒子に粉砕された顆粒状の竹炭を布製の細長い筒状袋体にくるみ、
前記筒状袋体の複数個を基台マットに平行に並べて縫い付けて固定し、
前記基台マットをシートの背もたれ部分に埋め込み固定してなる
ことを特徴とする健康増進シート。
【請求項２】
前記顆粒状の竹炭に微粉状の天降石を極微量混ぜ合わせてなることを特徴とする請求項１記載の健康増進シート。
【請求項３】
前記顆粒状の竹炭に微粉状の天降石を重量比で天降石１：竹炭１０００の割合で混入してなることを特徴とする請求項２記載の健康増進用シート。
【請求項４】
適宜広さの不織布の片面に、接着剤により、竹炭粉と天降石粉とを一様に塗り、このようにして得られた不織布を、それら竹炭粉と天降石粉とが塗られた面を裏面として、シートの背もたれ部分に縫い込み固定してなることを特徴とする健康増進シート。
【請求項５】
直径１〜３ｍｍの大きさの粒子に粉砕された顆粒状の椰子ガラ活性炭に微粉状の天降石を極微量混ぜ合わせてなる混合物を布製の細長い筒状袋体にくるみ、
前記筒状袋体の複数個を基台マットに平行に並べて縫い付けて固定し、
前記基台マットを座席シートの背もたれ部分に埋め込み固定してなる
ことを特徴とする健康増進シート。
【考案の詳細な説明】
【技術分野】
【０００１】
本願の考案は、健康増進シートに関し、特に竹炭や天降石等の健康増進効果を利用して、自動車、鉄道、船舶、航空機等に使用される乗り物用シートに顆粒状もしくは微粉状にした竹炭や天降石を内蔵せしめ、長時間着席による椎間板ヘルニア、ぎっくり腰等の腰痛の進行の緩和と回復等を図った健康増進シートに関する。
【背景技術】
【０００２】
自動車、鉄道、船舶、航空機等のシート（座席）への長時間着席は、多くの人が経験するとおり、忍耐を要する作業であり、特に人体の腰部への負担が大きく、椎間板ヘルニア、ぎっくり腰等の腰痛症状の生成や進行に結び付き易い。そこで、その解決のため、従来、リクライニングシート等の健康椅子や、症状緩和のための内服薬や外用薬の使用がなされているが、現代人は、依然として、この腰痛症状から解放されていないのが現状である。
【０００３】
ところで、竹炭には、マイナスイオン効果、遠赤外線効果、アルファー波誘引効果、脱臭、防湿、抗菌、殺菌等の効果があると古くから言い伝えられ、竹炭のこの作用を利用して、各種の健康増進、保健・衛生のための装置や設備が提案されている（特許文献１〜４）。また、ＳＧＥ石（“ＳＧＥ”は登録商標。“Super Growth Energy”の３つの頭文字を連ねたもの。）と呼ばれる九州の深山より採掘される天降石は、優れたマイナスイオン効果、遠赤外線効果、脱臭、殺菌等の効果を発揮し、特に、動植物の成長に必要なエネルギーを与える４〜１４μｍ域の遠赤外線（育成光線
growth ray）を多量に放射して、人間の細胞の賦活活性化に作用し、多くの病気の原因となる過酸化脂質形成反応を抑えることが実験により確認されている（非特許文献１）。
【先行技術文献】
【特許文献】
【０００４】
【特許文献１】特開２０００−１４０５６７号公報
【特許文献２】実開平６−６４７９６号公報
【特許文献３】特許第４２９１８１３号公報
【特許文献４】特開２００８−００６２３４号公報
【非特許文献】
【０００５】
【非特許文献１】日本炎症学会雑誌「炎症」、第１６巻、第６号、平成８年１１月、４２５〜４３６頁。
【０００６】
しかしながら、このような、人間の健康的で衛生的な生活を確保する上で著効が認められている竹炭や天降石を利用して、自動車、鉄道、船舶、航空機等の乗り物用のシートに長時間着席することの多い現代人の椎間板ヘルニア、ぎっくり腰等の腰痛の進行の緩和と回復を図ることができる健康増進シートについては、従来、ほとんど提案がなされていない。
【考案の開示】
【考案が解決しようとする課題】
【０００７】
本願の考案は、このような従来の問題点を解決して、竹炭や天降石を利用し、乗り物用のシートに長時間着席することによる椎間板ヘルニア、ぎっくり腰等の腰痛の進行の緩和と回復等を図ることができる健康増進シートを提供することを課題としている。
【課題を解決するための手段】
【０００８】
前記のような課題は、本願の実用新案登録請求の範囲の各請求項に記載された次のような考案により解決される。
すなわち、その請求項１に記載された考案は、直径１〜３ｍｍの大きさの粒子に粉砕された顆粒状の竹炭を布製の細長い筒状袋体にくるみ、前記筒状袋体の複数個を基台マットに平行に並べて縫い付けて固定し、前記基台マットをシートの背もたれ部分に埋め込み固定してなることを特徴とする健康増進シートである。
【０００９】
請求項１に記載された考案は、前記のように構成されているので、シートに着席する者は、シートの背もたれ部分に縫い込み固定された基台マットに縫い付け固定された複数個の筒状袋体の各々にくるみ込まれている顆粒状の竹炭が、マイナスイオン効果や遠赤外線効果（保温効果）、アルファー波誘引効果を発揮して、人体の血液循環を促進し、細胞を賦活活性化し、椎間板ヘルニア、ぎっくり腰等の腰痛の進行を緩和して、その回復を図り、また、気分をリフレッシュして、疲労を解消する。さらに、竹炭が、脱臭、防湿、抗菌、殺菌効果を発揮して、シートを取り囲む空間を清浄化する、等々の効果を奏することができる。
【００１０】
また、その請求項２に記載された考案は、請求項１記載の健康増進シートにおいて、顆粒状の竹炭に微粉状の天降石を極微量混ぜ合わせてなることを特徴としている。
【００１１】
請求項２に記載された考案は、この構成により、天降石が本来備えているマイナスイオン効果、遠赤外線効果、脱臭、殺菌等の効果が、竹炭が発揮する前記のような効果を一層助長して、人体の血液循環、細胞の賦活活性化、腰痛の進行の緩和と回復、気分のリフレッシュ、疲労の解消等を一層促進する。特に、脊髄（腸骨）、下部の脊椎の部分に遠赤外線効果（保温効果）があって、その部分が活性化され、短時間の間に症状が好転する。
【００１２】
また、その請求項３に記載された考案は、請求項２記載の健康増進シートにおいて、顆粒状の竹炭に微粉状の天降石を重量比で天降石１：竹炭１０００の割合で混入してなることを特徴としている。
【００１３】
請求項３に記載された考案は、この構成により、前記した、請求項２に記載された考案が奏する効果を最高に発揮させることできる。
【００１４】
また、その請求項４に記載された考案は、適宜広さの不織布の片面に、接着剤により、竹炭粉と天降石粉とを一様に塗り、このようにして得られた不織布を、それら竹炭粉と天降石粉とが塗られた面を裏面として、シートの背もたれ部分に縫い込み固定してなることを特徴とする健康増進シートである。
【００１５】
請求項４に記載された考案は、前記のように構成されているので、前記した、請求項２に記載された考案が奏する効果と同様の効果を奏することができるとともに、製造が容易になる。
【００１６】
さらに、その請求項５に記載された考案は、直径１〜３ｍｍの大きさの粒子に粉砕された顆粒状の椰子ガラ活性炭に微粉状の天降石を極微量混ぜ合わせてなる混合物を布製の細長い筒状袋体にくるみ、前記筒状袋体の複数個を基台マットに平行に並べて縫い付けて固定し、前記基台マットをシートの背もたれ部分に埋め込み固定してなることを特徴とする健康増進シートである。
【００１７】
請求項５に記載された考案は、前記のように構成されているので、前記した、請求項２に記載された考案が奏する効果と同様の効果を奏することができる。
【考案の効果】
【００１８】
本願の考案によれば、乗り物のシートに着席する者は、シートの背もたれ部分に埋め込み固定された基台マットに縫い付けて固定された複数個の筒状袋体の各々にくるみ込まれている顆粒状の竹炭や椰子ガラ活性炭が、マイナスイオン効果や遠赤外線効果（保温効果）、アルファー波誘引効果を発揮して、人体の血液循環を促進し、細胞を賦活活性化し、椎間板ヘルニア、ぎっくり腰等の腰痛の進行を緩和して、その回復を図り、また、気分をリフレッシュして、疲労を解消する。さらに、竹炭が、脱臭、防湿、抗菌、殺菌効果を発揮して、シートを取り囲む空間を清浄化する、等々の効果を奏することができる。
【００１９】
また、特に顆粒状の竹炭や椰子ガラ活性炭に微粉状の天降石が混ぜ合わされる場合には、これが、竹炭が持っている前記のような効果を一層促進する。
【図面の簡単な説明】
【００２０】
【図１】本願の考案の実施例（実施例１）に係るシートの概略正面図である。
【図２】図１のＡ−Ａ線断面図である。
【図３】同座席シートの背もたれ部の要部斜視図である。
【考案を実施するための形態】
【００２１】
（実施例１）
以下、本願の考案の健康増進シートの好適な実施例（実施例１）を、図面を参照しつつ、詳細に説明する。
実施例１に係るシートは、図１〜図３に示されるように、自動車、鉄道、船舶、航空機等に設置される搭乗者着席用のシート（座席）１であって、このシート１には、その着座部分３から起立する背もたれ部分２の略中央部に、以下に述べるような、顆粒状の竹炭を内蔵した基台マット４が埋め込み固定されている。
【００２２】
基台マット４は、柔軟性のある素材からなり、正面視矩形状に形成され、２０〜３０ｍｍの厚さを有するものとされる。この上に、用途により適宜直径１〜３ｍｍの大きさの粒子に粉砕された顆粒状の竹炭７をくるみ込んだ布製の細長い筒状袋体５を適数個、水平にして上下に平行に並べ、上下方向に３列押えミシン糸６、６を縫い掛けて、基台マット４に固定する。このようにして得られた適数個の筒状袋体５を備える基台マット４を、座席シート１の背もたれ部分２の略中央部に設けられた凹部に埋め込むか、埋め込んで適所を縫い付けることにより、背もたれ部分２に固定する。
【００２３】
基台マット４は、人体学状、合理性のある一定の高さと一定の幅とを計算されたもので、許容範囲にある十分な広さを有し、シート１の背もたれ部分２に、人体の骨格の重要部分である５本の脊椎から構成される脊柱の腸骨を中心にした範囲をカバーする領域を設定し、そこに凹部を形成して、その凹部に、前記のようにして基台マット４を埋め込んで固定する。本実施例の場合、基台マット４の高さは３５０ｍｍ、幅は２８０ｍｍとされており、そこに、直径２０〜３０ｍｍ、長さ２８０ｍｍの筒状袋体５が１１個、水平状態にして上下に平行に並べられて、縫い掛け固定されている。なお、これら複数個の筒状袋体５の固定の方向は、水平状態にして上下に平行に並べられるほか、垂直状態にして左右に平行に並べられるのであっても良い。
【００２４】
実施例１は、前記のように構成されているので、シート１に着席する搭乗者は、シート１の背もたれ部分２に埋め込み固定された基台マット４に縫い付けて固定された複数個の筒状袋体５の各々にくるみ込まれている顆粒状の竹炭７が、マイナスイオン効果や遠赤外線効果（保温効果）、アルファー波誘引効果を発揮して、人体の血液循環を促進し、細胞を賦活活性化し、椎間板ヘルニア、ぎっくり腰等の腰痛の進行を緩和して、その回復を図り、また、気分をリフレッシュして、疲労を解消することができる。さらに、竹炭７が、脱臭、防湿、抗菌、殺菌効果を発揮して、シート１を取り囲む空間を清浄化する、等々の効果を奏することができる。
【００２５】
（実施例２）
次に、本願の考案の第２の実施例（実施例２）について説明する。
この実施例２では、前記した顆粒状の竹炭７に、微粉状の天降石を極微量混ぜ合わせる。その量は、重量比で天降石１：竹炭１０００の割合とするのが良い。このようにすると、天降石が本来備えているマイナスイオン効果、遠赤外線効果、脱臭、殺菌等の効果が、竹炭７が持っている前記のような効果を一層促進する。特に、脊髄（腸骨）、下部の脊椎にアルファー波の影響と保温効果とがあって、その部分が活性化され、短時間の間に症状が好転する。
【００２６】
（実施例３）
次に、本願の考案の第３の実施例（実施例３）について説明する。
この実施例３では、特に図示されてはいないが、適宜広さの不織布の片面に、接着剤により、竹炭粉と天降石粉とを一様に塗り、このようにして得られた不織布を、竹炭粉と天降石粉とが塗られた面を裏側にして、シート１の背もたれ部分２に縫い込んで固定する。このようにしても、前記した、実施例２が奏する効果と同様の効果が得られる。
【００２７】
（実施例４）
次に、本願の考案の第４の実施例（実施例４）について説明する。
この実施例４では、実施例２の竹炭７が、椰子の果皮を顆粒状にして得られる椰子ガラ活性炭に代えられている。このようにしても、竹炭７と同様の効果を発揮する椰子ガラ活性炭と天降石との混合使用により、前記した、実施例２が奏する効果と同様の効果が得られる。
【００２８】
なお、本願の考案は、前記実施例に限定されるものではなく、その要旨を逸脱しない範囲で、種々のものが想定されることは言うまでもない。
【符号の説明】
【００２９】
１…シート（座席）、２…背もたれ部分、３…着座部分、４…基台マット、５…筒状袋体、６…押えミシン糸、７…竹炭。
【図１】
0003157564.tif 000003
【図２】
0003157564.tif 000004
【図３】
0003157564.tif 000005
【手続補正書】
【提出日】平成21年12月3日(2009.12.3)
【手続補正１】
【補正対象書類名】明細書
【補正対象項目名】全文
【補正方法】変更
【補正の内容】
【考案の詳細な説明】
【技術分野】
【０００１】
本願の考案は、健康増進シートに関し、特に竹炭や天降石等の健康増進効果を利用して、自動車、鉄道、船舶、航空機等に使用される乗り物用シートに顆粒状もしくは微粉状にした竹炭や天降石を内蔵せしめ、長時間着席による椎間板ヘルニア、ぎっくり腰等の腰痛の進行の緩和と回復等を図った健康増進シートに関する。
【背景技術】
【０００２】
自動車、鉄道、船舶、航空機等のシート（座席）への長時間着席は、多くの人が経験するとおり、忍耐を要する作業であり、特に人体の腰部への負担が大きく、椎間板ヘルニア、ぎっくり腰等の腰痛症状の生成や進行に結び付き易い。そこで、その解決のため、従来、リクライニングシート等の健康椅子や、症状緩和のための内服薬や外用薬の使用がなされているが、現代人は、依然として、この腰痛症状から解放されていないのが現状である。
【０００３】
ところで、竹炭には、マイナスイオン効果、遠赤外線効果、アルファー波誘引効果、脱臭、防湿、抗菌、殺菌等の効果があると古くから言い伝えられ、竹炭のこの作用を利用して、各種の健康増進、保健・衛生のための装置や設備が提案されている（特許文献１〜４）。また、ＳＧＥ石（“ＳＧＥ”は登録商標。“Super Growth Energy”の３つの頭文字を連ねたもの。）と呼ばれる九州の深山より採掘される天降石は、優れたマイナスイオン効果、遠赤外線効果、脱臭、殺菌等の効果を発揮し、特に、動植物の成長に必要なエネルギーを与える４〜１４μｍ域の遠赤外線（育成光線 growth ray）を多量に放射して、人間の細胞の賦活活性化に作用し、多くの病気の原因となる過酸化脂質形成反応を抑えることが実験により確認されている（非特許文献１）。
【先行技術文献】
【特許文献】
【０００４】
【特許文献１】特開２０００−１４０５６７号公報
【特許文献２】実開平６−６４７９６号公報
【特許文献３】特許第４２９１８１３号公報
【特許文献４】特開２００８−００６２３４号公報
【非特許文献】
【０００５】
【非特許文献１】日本炎症学会雑誌「炎症」、第１６巻、第６号、平成８年１１月、４２５〜４３６頁。
【０００６】
しかしながら、このような、人間の健康的で衛生的な生活を確保する上で著効が認められている竹炭や天降石を利用して、自動車、鉄道、船舶、航空機等の乗り物用のシートに長時間着席することの多い現代人の椎間板ヘルニア、ぎっくり腰等の腰痛の進行の緩和と回復を図ることができる健康増進シートについては、従来、ほとんど提案がなされていない。
【考案の開示】
【考案が解決しようとする課題】
【０００７】
本願の考案は、このような従来の問題点を解決して、竹炭や天降石を利用し、乗り物用のシートに長時間着席することによる椎間板ヘルニア、ぎっくり腰等の腰痛の進行の緩和と回復等を図ることができる健康増進シートを提供することを課題としている。
【課題を解決するための手段】
【０００８】
前記のような課題は、本願の実用新案登録請求の範囲の各請求項に記載された次のような考案により解決される。
すなわち、その請求項１に記載された考案は、直径１〜３ｍｍの大きさの粒子に粉砕された顆粒状の竹炭を布製の細長い筒状袋体にくるみ、前記筒状袋体の複数個を基台マットに平行に並べて縫い付けて固定し、前記基台マットをシートの背もたれ部分に埋め込み固定してなることを特徴とする健康増進シートである。
【０００９】
請求項１に記載された考案は、前記のように構成されているので、シートに着席する者は、シートの背もたれ部分に縫い込み固定された基台マットに縫い付け固定された複数個の筒状袋体の各々にくるみ込まれている顆粒状の竹炭が、マイナスイオン効果や遠赤外線効果（保温効果）、アルファー波誘引効果を発揮して、人体の血液循環を促進し、細胞を賦活活性化し、椎間板ヘルニア、ぎっくり腰等の腰痛の進行を緩和して、その回復を図り、また、気分をリフレッシュして、疲労を解消する。さらに、竹炭が、脱臭、防湿、抗菌、殺菌効果を発揮して、シートを取り囲む空間を清浄化する、等々の効果を奏することができる。
【００１０】
また、その請求項２に記載された考案は、請求項１記載の健康増進シートにおいて、顆粒状の竹炭に微粉状の天降石を極微量混ぜ合わせてなることを特徴としている。
【００１１】
請求項２に記載された考案は、この構成により、天降石が本来備えているマイナスイオン効果、遠赤外線効果、脱臭、殺菌等の効果が、竹炭が発揮する前記のような効果を一層助長して、人体の血液循環、細胞の賦活活性化、腰痛の進行の緩和と回復、気分のリフレッシュ、疲労の解消等を一層促進する。特に、脊髄（腸骨）、下部の脊椎の部分に遠赤外線効果（保温効果）があって、その部分が活性化され、短時間の間に症状が好転する。
【００１２】
また、その請求項３に記載された考案は、請求項２記載の健康増進シートにおいて、顆粒状の竹炭に微粉状の天降石を重量比で天降石１：竹炭１０００の割合で混入してなることを特徴としている。
【００１３】
請求項３に記載された考案は、この構成により、前記した、請求項２に記載された考案が奏する効果を最高に発揮させることできる。
【００１４】
さらに、その請求項４に記載された考案は、直径１〜３ｍｍの大きさの粒子に粉砕された顆粒状の椰子ガラ活性炭に微粉状の天降石を極微量混ぜ合わせてなる混合物を布製の細長い筒状袋体にくるみ、前記筒状袋体の複数個を基台マットに平行に並べて縫い付けて固定し、前記基台マットをシートの背もたれ部分に埋め込み固定してなることを特徴とする健康増進シートである。
【００１５】
請求項４に記載された考案は、前記のように構成されているので、前記した、請求項２に記載された考案が奏する効果と同様の効果を奏することができる。
【考案の効果】
【００１６】
本願の考案によれば、乗り物のシートに着席する者は、シートの背もたれ部分に埋め込み固定された基台マットに縫い付けて固定された複数個の筒状袋体の各々にくるみ込まれている顆粒状の竹炭や椰子ガラ活性炭が、マイナスイオン効果や遠赤外線効果（保温効果）、アルファー波誘引効果を発揮して、人体の血液循環を促進し、細胞を賦活活性化し、椎間板ヘルニア、ぎっくり腰等の腰痛の進行を緩和して、その回復を図り、また、気分をリフレッシュして、疲労を解消する。さらに、竹炭が、脱臭、防湿、抗菌、殺菌効果を発揮して、シートを取り囲む空間を清浄化する、等々の効果を奏することができる。
【００１７】
また、特に顆粒状の竹炭や椰子ガラ活性炭に微粉状の天降石が混ぜ合わされる場合には、これが、竹炭が持っている前記のような効果を一層促進する。
【図面の簡単な説明】
【００１８】
【図１】本願の考案の実施例（実施例１）に係るシートの概略正面図である。
【図２】図１のＡ−Ａ線断面図である。
【図３】同座席シートの背もたれ部の要部斜視図である。
【考案を実施するための形態】
【００１９】
（実施例１）
以下、本願の考案の健康増進シートの好適な実施例（実施例１）を、図面を参照しつつ、詳細に説明する。
実施例１に係るシートは、図１〜図３に示されるように、自動車、鉄道、船舶、航空機等に設置される搭乗者着席用のシート（座席）１であって、このシート１には、その着座部分３から起立する背もたれ部分２の略中央部に、以下に述べるような、顆粒状の竹炭を内蔵した基台マット４が埋め込み固定されている。
【００２０】
基台マット４は、柔軟性のある素材からなり、正面視矩形状に形成され、２０〜３０ｍｍの厚さを有するものとされる。この上に、用途により適宜直径１〜３ｍｍの大きさの粒子に粉砕された顆粒状の竹炭７をくるみ込んだ布製の細長い筒状袋体５を適数個、水平にして上下に平行に並べ、上下方向に３列押えミシン糸６、６を縫い掛けて、基台マット４に固定する。このようにして得られた適数個の筒状袋体５を備える基台マット４を、座席シート１の背もたれ部分２の略中央部に設けられた凹部に埋め込むか、埋め込んで適所を縫い付けることにより、背もたれ部分２に固定する。
【００２１】
基台マット４は、人体学状、合理性のある一定の高さと一定の幅とを計算されたもので、許容範囲にある十分な広さを有し、シート１の背もたれ部分２に、人体の骨格の重要部分である５本の脊椎から構成される脊柱の腸骨を中心にした範囲をカバーする領域を設定し、そこに凹部を形成して、その凹部に、前記のようにして基台マット４を埋め込んで固定する。本実施例の場合、基台マット４の高さは３５０ｍｍ、幅は２８０ｍｍとされており、そこに、直径２０〜３０ｍｍ、長さ２８０ｍｍの筒状袋体５が１１個、水平状態にして上下に平行に並べられて、縫い掛け固定されている。なお、これら複数個の筒状袋体５の固定の方向は、水平状態にして上下に平行に並べられるほか、垂直状態にして左右に平行に並べられるのであっても良い。
【００２２】
実施例１は、前記のように構成されているので、シート１に着席する搭乗者は、シート１の背もたれ部分２に埋め込み固定された基台マット４に縫い付けて固定された複数個の筒状袋体５の各々にくるみ込まれている顆粒状の竹炭７が、マイナスイオン効果や遠赤外線効果（保温効果）、アルファー波誘引効果を発揮して、人体の血液循環を促進し、細胞を賦活活性化し、椎間板ヘルニア、ぎっくり腰等の腰痛の進行を緩和して、その回復を図り、また、気分をリフレッシュして、疲労を解消することができる。さらに、竹炭７が、脱臭、防湿、抗菌、殺菌効果を発揮して、シート１を取り囲む空間を清浄化する、等々の効果を奏することができる。
【００２３】
（実施例２）
次に、本願の考案の第２の実施例（実施例２）について説明する。
この実施例２では、前記した顆粒状の竹炭７に、微粉状の天降石を極微量混ぜ合わせる。その量は、重量比で天降石１：竹炭１０００の割合とするのが良い。このようにすると、天降石が本来備えているマイナスイオン効果、遠赤外線効果、脱臭、殺菌等の効果が、竹炭７が持っている前記のような効果を一層促進する。特に、脊髄（腸骨）、下部の脊椎にアルファー波の影響と保温効果とがあって、その部分が活性化され、短時間の間に症状が好転する。
【００２４】
（実施例３）
次に、本願の考案の第３の実施例（実施例３）について説明する。
この実施例４では、実施例２の竹炭７が、椰子の果皮を顆粒状にして得られる椰子ガラ活性炭に代えられている。このようにしても、竹炭７と同様の効果を発揮する椰子ガラ活性炭と天降石との混合使用により、前記した、実施例２が奏する効果と同様の効果が得られる。
【００２５】
なお、本願の考案は、前記実施例に限定されるものではなく、その要旨を逸脱しない範囲で、種々のものが想定されることは言うまでもない。
【符号の説明】
【００２６】
１…シート（座席）、２…背もたれ部分、３…着座部分、４…基台マット、５…筒状袋体、６…押えミシン糸、７…竹炭。
【手続補正２】
【補正対象書類名】実用新案登録請求の範囲
【補正対象項目名】全文
【補正方法】変更
【補正の内容】
【実用新案登録請求の範囲】
【請求項１】
直径１〜３ｍｍの大きさの粒子に粉砕された顆粒状の竹炭を布製の細長い筒状袋体にくるみ、
前記筒状袋体の複数個を基台マットに平行に並べて縫い付けて固定し、
前記基台マットをシートの背もたれ部分に埋め込み固定してなる
ことを特徴とする健康増進シート。
【請求項２】
前記顆粒状の竹炭に微粉状の天降石を極微量混ぜ合わせてなることを特徴とする請求項１記載の健康増進シート。
【請求項３】
前記顆粒状の竹炭に微粉状の天降石を重量比で天降石１：竹炭１０００の割合で混入してなることを特徴とする請求項２記載の健康増進用シート。
【請求項４】
直径１〜３ｍｍの大きさの粒子に粉砕された顆粒状の椰子ガラ活性炭に微粉状の天降石を極微量混ぜ合わせてなる混合物を布製の細長い筒状袋体にくるみ、
前記筒状袋体の複数個を基台マットに平行に並べて縫い付けて固定し、
前記基台マットを座席シートの背もたれ部分に埋め込み固定してなる
ことを特徴とする健康増進シート。